(57)【特許請求の範囲】
【請求項１】
沈砂池の揚砂ピットに堆積した沈砂を揚砂する揚砂管の閉塞防止装置であって、
その下部が漸次拡大した円錐形の閉塞防止部材を、該閉塞防止部材の先端部が前記揚砂管の吸込口に入り込むように配置し、前記揚砂管の吸込口と前記閉塞防止部材の外面とによって規定される円環形状の揚砂空間を形成するようにしたことを特徴とする揚砂管の閉塞防止装置。
【請求項２】
前記揚砂管の吸込口と前記閉塞防止部材の外面との隙間距離を、揚砂ポンプの口径の７０％以下に設定してなること特徴とする請求項１に記載の揚砂管の閉塞防止装置。
【請求項３】
前記揚砂管の吸込口と揚砂自動弁間に、逆洗自動弁を介して逆洗管を接続し、給水可能としたこと特徴とする請求項１又は２に記載の揚砂管の閉塞防止装置。
【発明の詳細な説明】
【技術分野】
【０００１】
本発明は、沈砂池の圧力水噴射式集砂、揚砂装置において用いられる揚砂管の閉塞防止装置に関するものである。
【背景技術】
【０００２】
従来、下水処理場、浄水場、ポンプ場等に設置される汚水池、雨水沈砂池、上水沈砂池等（本明細書において、総称して「沈砂池」という。）においては、該沈砂池内に導入される汚水や河川水に含まれる固形物、例えば、汚砂は、自然重力を利用して池底に沈殿、沈積させ、この沈砂を池底に設置した揚砂ピットに集めて揚砂ポンプにて吸い上げ排出するようにしている。
【０００３】
ところで、近年、沈砂池の集砂、揚砂を効率よく行うことができるように、高圧、中圧又は低圧の噴射水による圧力水噴射式集砂、揚砂装置が多く使用されるようになっている（例えば、特許文献１〜２参照。）。
【０００４】
ところで、この種の圧力水噴射式集砂、揚砂装置においては、揚砂管から吸い込まれた異物によって、揚砂管や揚砂ポンプが閉塞して、揚砂不能となる事例が多く報告されている。特に、揚砂管の吸込口の内面が円錐面形状をしたものは、揚砂管の吸込効率が高い反面、大きな異物を吸い込んで、揚砂管や揚砂ポンプが閉塞し易いという問題があった。
これに対処するため、細目スクリーンを流入側に設置したり、揚砂管の吸込口の周囲にスクリーンを設置して、閉塞の原因となる異物を阻止したり（例えば、特許文献３参照。）、逆洗管を設け、閉塞時には揚砂管を逆洗して閉塞を解消する方法が取られているが、いずれも対処的なもので、抜本的な閉塞対策とはいえなかった。
【先行技術文献】
【特許文献】
【０００５】
【特許文献１】特開２００１−２７６５０７号公報
【特許文献２】特開２００８−１２６１４５号公報
【特許文献３】特開２００１−１９３７００号公報
【発明の概要】
【発明が解決しようとする課題】
【０００６】
本発明は、従来の圧力水噴射式集砂、揚砂装置の揚砂管から吸い込まれた異物によって、揚砂管や揚砂ポンプが閉塞する問題点に鑑み、簡易な構造の装置を付加することで、揚砂管や揚砂ポンプが閉塞して、揚砂不能となることを未然に防止することができる揚砂管の閉塞防止装置を提供することを目的とする。
【課題を解決するための手段】
【０００７】
上記目的を達成するため、本発明の揚砂管の閉塞防止装置は、沈砂池の揚砂ピットに堆積した沈砂を揚砂する揚砂管の閉塞防止装置であって、円錐形の閉塞防止部材を、該閉塞防止部材の先端部が揚砂管の吸込口に入り込むように配置し、揚砂管の吸込口と閉塞防止部材の外面とによって規定される円環形状の揚砂空間を形成するようにしたことを特徴とする。
【０００８】
この場合において、前記揚砂管の吸込口と閉塞防止部材の外面との隙間距離を、揚砂ポンプの口径の７０％以下に設定するようにすることができる。
【０００９】
前記揚砂管の吸込口の内面及び閉塞防止部材の外面が、円錐面形状をし、かつ、両面の隙間距離を一定に設定するようにすることができる。
【００１０】
また、揚砂管の吸込口と揚砂自動弁間に、逆洗自動弁を介して逆洗管を接続し、給水可能とすることができる。
【発明の効果】
【００１１】
本発明の揚砂管の閉塞防止装置によれば、沈砂池の揚砂ピットに堆積した沈砂を揚砂する揚砂管の閉塞防止装置であって、円錐形の閉塞防止部材を、該閉塞防止部材の先端部が揚砂管の吸込口に入り込むように配置し、揚砂管の吸込口と閉塞防止部材の外面とによって規定される円環形状の揚砂空間を形成するようにすることにより、揚砂管の吸込効率を大きく低下させることなく、簡易な構造の装置を付加することで、揚砂管や揚砂ポンプを閉塞させる大きな異物が円環形状の揚砂空間から揚砂管に吸い込まれることを阻止することによって、揚砂管や揚砂ポンプが閉塞して、揚砂不能となることを未然に防止することができる。
【００１２】
この場合において、前記揚砂管の吸込口と閉塞防止部材の外面との隙間距離を、揚砂ポンプの口径の７０％以下に設定するようにすることにより、揚砂管や揚砂ポンプを閉塞させる大きな異物が円環形状の揚砂空間から揚砂管に吸い込まれることを確実に阻止することができる。
【００１３】
また、前記揚砂管の吸込口の内面及び閉塞防止部材の外面が、円錐面形状をし、かつ、両面の隙間距離を一定に設定するようにすることにより、高い揚砂管の吸込効率を維持しながら、揚砂管や揚砂ポンプを閉塞させる大きな異物が円環形状の揚砂空間から揚砂管に吸い込まれることを阻止することができる。
【００１４】
また、揚砂管の吸込口と揚砂自動弁間に、逆洗自動弁を介して逆洗管を接続し、給水可能とすることにより、揚砂管が閉塞した場合、自動逆洗することができる。
さらに、この揚砂管の閉塞防止装置を設けることによって、揚砂管の下端と揚砂ピットの底部との間で沈砂が圧密されることによって逆洗不能状態になることを防止することができる。
【図面の簡単な説明】
【００１５】
【図１】本発明の揚砂管の閉塞防止装置を、雨水沈砂池の低圧の圧力水噴射式集砂、揚砂装置に適用した一例を示す説明図である。
【図２】図１の平面図である。
【図３】図２のＢ−Ｂ矢視縦断面図である。
【図４】図２のＣ−Ｃ矢視横断面図である。
【図５】図２のＤ−Ｄ矢視横断面図である。
【図６】同沈砂池の除砂装置の沈砂池の池底を示す平面図である。
【図７】図６のＡ−Ａ矢視縦断面図である。
【図８】図６のＢ−Ｂ矢視横断面図である。
【図９】図６のＣ−Ｃ矢視横断面図である。
【図１０】揚砂ピットの側面と底面交線部の仕上げ図である。
【図１１】集砂ノズルの回転機構の詳細図である。
【図１２】集砂ノズルの逆洗機構のスケルトン図である。
【図１３】本発明の揚砂管の閉塞防止装置の一実施例を示す断面図である。
【図１４】本発明の揚砂管の閉塞防止装置の変形実施例を示す断面図である。
【図１５】揚砂管の吸込口の断面図を示し、（ａ）は閉塞防止装置がない場合を、（ｂ）は閉塞防止装置を設置した場合を示す。
【図１６】本発明の揚砂管の閉塞防止装置を、ジェットポンプ揚砂機の揚砂管に適用した一例を示す説明図である。
【発明を実施するための形態】
【００１６】
以下、本発明の揚砂管の閉塞防止装置の実施の形態を、図面に基づいて説明する。
【００１７】
図１〜図１５に、本発明の揚砂管の閉塞防止装置を、雨水沈砂池の低圧の圧力水噴射式集砂、揚砂装置に適用した一例を示す。
【００１８】
この雨水沈砂池は、沈砂池１を排水、ドライ化後、集砂、揚砂する低圧の圧力水噴射式集砂、揚砂装置を用いるようにしている。
【００１９】
沈砂池１には、流入側に、流入ゲート１２及び細目スクリーン１３（目幅２５ｍｍ以下のものが望ましい。）を、排出側に、流出ゲート１４及び雨水ポンプ１５を、それぞれ配設するようにしている。
【００２０】
沈砂池１の流れ方向の中央から流入側寄りに、揚砂ピット４を形成する。
揚砂ピット４は、円筒形をし、その直径Ｄ４は、φ８００〜２０００ｍｍ、好ましくは、φ１０００ｍｍ程度とする。
【００２１】
揚砂ピット４の側面と底面の交線部は、図１０（ａ）に示すようにハンチ状４１（Ｃ５０〜２００ｍｍ、好ましくは、Ｃ１００ｍｍ程度とする。）又は図１０（ｂ）に示すように円弧状４２（Ｒ５０〜２００ｍｍ、好ましくは、Ｒ１００ｍｍ程度とする。）に仕上げるようにする。
これにより、沈砂が特に残留し易い揚砂ピット４の隅角部に、沈砂が残留することを防ぐことができる。
【００２２】
また、揚砂ピット４へ砂を導く傾斜面と垂直面が交わる交線部についても、断面の角をなくし、ハンチ状又は円弧状に仕上げることが望ましい。
【００２３】
揚砂ピット４に流入するように、勾配α５として、１／５０〜１／２００、好ましくは、１／１００程度の底傾斜を取った集砂トラフ５を流入側、流出側の池幅方向中央に形成する。
【００２４】
池幅方向中央の集砂トラフ５に両側から流入するように斜面を形成する。斜面の角度α１１は、１０〜２０、好ましくは、約１３°程度とする。
【００２５】
沈砂池１の池底１１は、すべて無筋コンクリート打設、モルタル仕上げで形成する。
【００２６】
沈砂池１の流れ方向を、Ｎｏ．１〜Ｎｏ．５ブロックに分け（ブロック数は、これに限定されるものではなく、池長さにより決定する。）、各ブロックに概ね矩形ループ状の集砂管２Ａ〜２Ｅ（矩形ループ状の集砂管を総称して、集砂管２４という。）を設ける。
【００２７】
集砂管のうち、Ｎｏ．２ブロックに配設する集砂管２Ｂを除く、集砂管２Ａ、２Ｃ〜２Ｅは、高水位（Ｈ．Ｗ．Ｌ）以上に設置されており、両池壁側と集砂トラフ５上に必要個数の集砂ノズル２４ｄが取り付けられている。
【００２８】
Ｎｏ．２ブロックに配設する集砂管２Ｂは、集砂運転の水位（Ｗ．Ｌ）（揚砂ピット４の上端よりやや高いレベル）以上に設置されており、両池壁側と揚砂ピット４上に必要個数の集砂ノズル２４ｄが取り付けられている。
【００２９】
各ブロックの集砂管２Ａ〜２Ｅ（２４）には、集砂ノズル２４ｄから低圧の噴射水を噴射することによって集砂を行うために、集砂水ポンプ２１から、集砂水管２２及び１個の集砂自動弁２３ａが設けられている分岐集砂水管２３を介して、集砂水が選択的に供給されるようにする。
【００３０】
各ブロックの集砂管２Ａ〜２Ｅ（２４）は、直管部２４ａと、エルボ形状の曲管部２４ｂとで、概ね矩形ループ状を形成してなり、直管部２４ａには、集砂ノズル２４ｄが取り付けられ、さらに、集砂ノズル２４ｄを取り付けた直管部２４ａを挟んで両側に、回転機構、本実施例では、ルーズフランジ２４ｃが設けられている。
ルーズフランジ２４ｃは、図１１に示すように、パッキン２４ｆを介在させた状態で、締め付けボルト２４ｅで、ルーズフランジ２４ｃのフランジ部を締め付けるようにしている。
このように、直管部２４ａを挟んで両側に、回転機構としてルーズフランジ２４ｃを設けることにより、集砂ノズル２４ｄの噴射方向を容易に最適方向に変更することができる。
【００３１】
揚砂ピット４の中央に揚砂管３１を設ける。
揚砂管３１には、揚砂自動弁３１ａが設けられ、集合揚砂管３２に接続されている。
集合揚砂管３２には、複数の他の沈砂池１の揚砂管３１が接続されるとともに、自吸式揚砂ポンプ３３が設けられている。
【００３２】
各沈砂池１の揚砂管３１には、揚砂自動弁３１ａの吸込口側に逆洗管２５が接続されている。
逆洗管２５は、逆洗自動弁２５ａを介して、集砂水管２２に接続されている。
これにより、図１２に示すように、揚砂自動弁３１ａを閉じた状態で、逆洗自動弁２５ａを開いて、逆洗管２５から逆洗水（集砂水管２２から供給される水）を、揚砂管３１に供給することにより、揚砂管３１の閉塞を自動で解消することができる。
【００３３】
揚砂ポンプには、抽気ポンプ３４と渦巻きポンプ３３を組み合せた、具体的には、抽気ポンプ３４を接続した渦巻きポンプからなる自吸式揚砂ポンプ３３を使用し、沈砂池１の床上に設置する。
これにより、沈砂池１の数が多い場合でも１台で揚砂することができる。
【００３４】
集合揚砂管３２の下流側、すなわち、自吸式揚砂ポンプ３３の吐出側は、沈砂分離機構６が接続されている。
本実施例においては、沈砂分離機構６は、沈砂分離機６１、沈砂ホッパ６２及び汚水沈砂池６３から構成されているが、これに限定されるものではなく、沈砂洗浄機等からなる沈砂洗浄設備を備えることもできる。
【００３５】
ところで、本実施例においては、各沈砂池１の揚砂管３１に、揚砂管閉塞防止装置として、円錐形の閉塞防止部材３５を、閉塞防止部材３５の先端部が揚砂管３１の吸込口に入り込むように配置し、揚砂管３１の吸込口と閉塞防止部材３５の外面とによって規定される円環形状の揚砂空間を形成するようにしている。
これにより、揚砂管３１の吸込効率を大きく低下させることなく、簡易な構造の装置である円錐形の閉塞防止部材３５を付加することで、揚砂管３１や揚砂ポンプ（本実施例においては、自吸式揚砂ポンプ３３。）を閉塞させる大きな異物が円環形状の揚砂空間から揚砂管３１に吸い込まれることを阻止することによって、揚砂管３１や揚砂ポンプが閉塞して、揚砂不能となることを未然に防止することができる。
【００３６】
そして、揚砂管３１の吸込口と閉塞防止部材３５の外面との隙間距離を、揚砂ポンプの口径Ｄ（ここで、本実施例においては、揚砂管に揚砂ポンプの口径と同じ管径の管材を使用するようにしている。）の７０％以下（０．７Ｄ以下）、好ましくは、５０〜７０％、より好ましくは、５５〜６５％（本実施例においては、６０％程度）に設定するようにしている。
これにより、揚砂管３１や揚砂ポンプを閉塞させる大きな異物が円環形状の揚砂空間から揚砂管に吸い込まれることを確実に阻止することができる。
【００３７】
ここで、揚砂管３１の吸込口の形状は、直管形状としてもよいが、本実施例においては、揚砂管３１の吸込口の内面及び閉塞防止部材３５の外面が、円錐面形状をし、かつ、両面の隙間距離を一定に、すなわち、揚砂管３１の吸込口の内面と閉塞防止部材３５の外面とが平行になるように設定するようにしている。
これにより、高い揚砂管３１の吸込効率を維持しながら、揚砂管３１や揚砂ポンプを閉塞させる大きな異物が円環形状の揚砂空間から揚砂管に吸い込まれることを阻止することができる。
【００３８】
円錐形の閉塞防止部材３５は、金属製、合成樹脂製、コンクリート製等の任意の材質で製作した中実又は下面を開放した中空の構造体からなり、揚砂ピット４の底部に固定して立ち上げるようにするほか、揚砂管３１にブラケット（図示省略）を介して取り付けるようにすることもできる。
【００３９】
円錐形の閉塞防止部材３５の形状は、本実施例に示すような、稜線が直線をなす単純な円錐形状（ここで、閉塞防止部材３５の頂角は、２０°〜４５°、好ましくは、２５°〜３５°（本実施例においては、３０°程度）に設定するようにしている。）のほか、図１４に示す変形実施例のように、下部を漸次拡大した形状にすることができる。
【００４０】
閉塞防止装置としての閉塞防止部材３５は、揚砂管３１や揚砂ポンプが閉塞して、揚砂不能となることを未然に防止する機能に加え、万一揚砂管３１が閉塞した場合において、逆洗の効果を高めることができる。
逆洗は、図１２に示すように、揚砂自動弁３１ａを閉じた状態で、逆洗自動弁２５ａを開いて、逆洗管２５から逆洗水（集砂水管２２から供給される水）を、揚砂管３１に供給することにより行うようにするが、図１５（ａ）に示す閉塞防止部材３５がない場合に比較して図１５（ｂ）に示す閉塞防止部材３５を設置した場合は、揚砂空間の断面積が小さくなり、逆洗水の噴射流速を高めることができる。噴射される逆洗水が平板（この場合は閉塞した異物）に対し直角に及ぼす力Ｆは、下式で表される。
Ｆ＝ρ・Ｑ・Ｖ
ここで、ρ：水の密度
Ｑ：流量（＝逆洗水量）
Ｖ：流速
である。
ρとＱは、閉塞防止部材３５の有無で変わらないため、Ｖの値は、閉塞防止部材３５がない場合（図１５（ａ））＜閉塞防止部材３５を設置した場合（図１５（ｂ））となることから、異物に及ぼす力Ｆは、閉塞防止装置を設置した場合（図１５（ｂ））の方が大きくなる。
このように、閉塞防止部材３５を設けることによって、異物に及ぼす力Ｆ、すなわち、異物を排除する力が大きくなり、閉塞を解消し易くして、逆洗の効果を高めることができる。
さらに、閉塞防止部材３５を設けることによって、揚砂管３１の下端と揚砂ピット４の底部との間で沈砂が圧密されることによって逆洗不能状態になることを防止することができる。
【００４１】
次に、この沈砂池の除砂装置の揚砂運転について説明する。
揚砂運転は、降雨終了後雨水の流入が終了した後に１つの沈砂池１毎に順次行う。
まず、雨水ポンプ１５で、低水位（Ｌ．Ｗ．Ｌ）まで排水するとともに、沈砂池１の流入ゲート１２及び流出ゲート１４を閉じ、沈砂池１の揚砂自動弁３１ａを開き、自吸式揚砂ポンプ３３を運転して、揚砂運転水位まで排水する。
【００４２】
Ｎｏ．２ブロックに配設した集砂管２Ｂの集砂自動弁２３ａを開き、揚砂ピット４内の揚砂を行う。
沈砂分離機構６は事前に起動され、以降の集砂運転中は連続運転する。
運転タイマーの設定時間で揚砂ピット４の運転が終了すると、Ｎｏ．２ブロックに配設した集砂管２Ｂの集砂自動弁２３ａを閉じる。
ここで、本実施例においては、各沈砂池１の揚砂管３１に、揚砂管閉塞防止装置として、円錐形の閉塞防止部材３５を、閉塞防止部材３５の先端部が揚砂管３１の吸込口に入り込むように配置し、揚砂管３１の吸込口と閉塞防止部材３５の外面とによって規定される円環形状の揚砂空間を形成するようにしているので、揚砂管３１の吸込効率を大きく低下させることなく、簡易な構造の装置である円錐形の閉塞防止部材３５を付加することで、揚砂管３１や揚砂ポンプ（本実施例においては、自吸式揚砂ポンプ３３。）を閉塞させる大きな異物が円環形状の揚砂空間から揚砂管３１に吸い込まれることを阻止することによって、揚砂管３１や揚砂ポンプが閉塞して、揚砂不能となることを未然に防止することができる。
【００４３】
次に、Ｎｏ．１ブロックに配設した集砂管２Ａの集砂自動弁２３ａを開き、流入側のＮｏ．１ブロックの集砂を行う。自吸式揚砂ポンプ３３の運転は継続する。運転タイマーの設定時間で、Ｎｏ．１ブロックの集砂が終了すると、Ｎｏ．１ブロックに配設した集砂管２Ａの集砂自動弁２３ａを閉じる。
【００４４】
以下、同様の手順で、Ｎｏ．３ブロック→Ｎｏ．４ブロック→Ｎｏ．５ブロックの集砂を行う。
【００４５】
その後、もう一度、揚砂ピット４の集砂を行う。
Ｎｏ．２ブロックに配設した集砂管２Ｂの集砂自動弁２３ａを閉じた後、自吸式揚砂ポンプ３３で揚砂ピット４の最低水位まで排水し、水位計の設定水位で自吸式揚砂ポンプ３３を停止した後、揚砂自動弁３１ａを閉じ、沈砂分離機構６を停止する。
これにより、この沈砂池１の集砂、揚砂運転を終了する。
以下、同様の手順で、他の沈砂池１の除砂装置の揚砂運転を行う。
【００４６】
ここで、壁側の集砂ノズル２４ｄの噴射は、壁と傾斜底面が接する隅角部の近傍に到達するように噴射するが（このとき、少なくとも一部の噴射水を、壁面を噴射水によって洗浄するように噴射させることもできる。）、運転後の集砂状況を確認して集砂管２４の直管部２４ａに設けられた回転機構、本実施例では、ルーズフランジ２４ｃを介して、集砂ノズル２４ｄを取り付けた直管部２４ａを回転することによって、集砂ノズル２４ｄの角度を最適角度に設定することができる。
揚砂ピット４及び集砂トラフ５上に設けた集砂ノズル２４ｄについても、同様に、ルーズフランジ２４ｃを介して、集砂ノズル２４ｄを取り付けた直管部２４ａを回転することによって、集砂ノズル２４ｄの角度を最適角度に設定することができる。
【００４７】
また、揚砂管３１には、揚砂自動弁３１ａの吸込口側に逆洗管２５が接続されているが、揚砂管３１が閉塞して揚砂不能となった場合、揚砂管３１内の流れがないことを検知して、自動逆洗を行う。
この自動逆洗は、該当する揚砂管３１の揚砂自動弁３１ａを閉じ、逆洗自動弁２５ａを開いて、逆洗管２５から逆洗水（集砂水管２２から供給される水）を、揚砂管３１に供給することにより、揚砂管３１の閉塞解除を図る。一定時間経過後（タイマー設定による。）、逆洗自動弁２５ａを閉じ、揚砂自動弁３１ａを開いて揚砂を再開する。閉塞が解除されない場合、自動逆洗操作を何回か繰り返した（回数は設定による。）後、それでも閉塞が解除されない場合は故障信号を発し、自吸式揚砂ポンプ３３以降の機器を停止させる。
ここで、閉塞防止装置としての閉塞防止部材３５を設けることによって、逆洗時に、揚砂管３１に閉塞を生じさせている異物に及ぼす力Ｆ、すなわち、異物を排除する力を大きくし、逆洗の効果を高めることができる。
さらに、閉塞防止部材３５を設けることによって、揚砂管３１の下端と揚砂ピット４の底部との間で沈砂が圧密されることによって逆洗不能状態になることを防止することができる。
【００４８】
ところで、本実施例は、本発明の揚砂管の閉塞防止装置を、雨水沈砂池の低圧の圧力水噴射式集砂、揚砂装置に適用したものであるが、本発明の揚砂管の閉塞防止装置（閉塞防止部材３５）は、このほか、高圧や中圧の噴射水による圧力水噴射式集砂、揚砂装置に適用したり、図１６に示すような、従来公知（例えば、特許文献３、特開２００５−２１１８０９号公報等参照。）のジェットポンプ揚砂機の揚砂管３１等の各種揚砂ポンプの揚砂管にも、同様に、閉塞防止装置（閉塞防止部材３５）を設置することで適用することができる。
【００４９】
以上、本発明の沈砂池の除砂装置について、その実施例に基づいて説明したが、本発明は上記実施例に記載した構成に限定されるものではなく、その趣旨を逸脱しない範囲において適宜その構成を変更することができるものである。
【産業上の利用可能性】
【００５０】
本発明の揚砂管の閉塞防止装置は、簡易な構造の装置を付加することで、揚砂管や揚砂ポンプが閉塞して、揚砂不能となることを未然に防止することができることから、沈砂池の圧力水噴射式集砂、揚砂装置の用途に、新設、既設を問わず、好適に用いることができる。
【符号の説明】
【００５１】
１  沈砂池
１１  池底
１２  流入ゲート
１３  細目スクリーン
１４  流出ゲート
１５  雨水ポンプ
２１  集砂水ポンプ
２２  集砂水管
２３  分岐集砂水管
２３ａ  集砂自動弁
２４（２Ａ〜２Ｅ）  集砂管
２４ａ  直管部
２４ｂ  曲管部
２４ｃ  ルーズフランジ（回転機構）
２４ｄ  集砂ノズル
２５  逆洗管
２５ａ  逆洗自動弁
３１  揚砂管
３１ａ  揚砂自動弁
３２  集合揚砂管
３３  渦巻きポンプ（自吸式揚砂ポンプ）
３４  抽気ポンプ
３５  閉塞防止部材（揚砂管閉塞防止装置）
４  揚砂ピット
５  集砂トラフ
６  沈砂分離機構
６１  沈砂分離機
６２  沈砂ホッパ
６３  汚水沈砂池
【図１】
0006674323.tif 000002
【図２】
0006674323.tif 000003
【図３】
0006674323.tif 000004
【図４】
0006674323.tif 000005
【図５】
0006674323.tif 000006
【図６】
0006674323.tif 000007
【図７】
0006674323.tif 000008
【図８】
0006674323.tif 000009
【図９】
0006674323.tif 000010
【図１０】
0006674323.tif 000011
【図１１】
0006674323.tif 000012
【図１２】
0006674323.tif 000013
【図１３】
0006674323.tif 000014
【図１４】
0006674323.tif 000015
【図１５】
0006674323.tif 000016
【図１６】
0006674323.tif 000017